(57)【要約】【課題】  一対の柱材に梁材を架設してなる軸組材に壁パネルを容易に設置でき、且つ、柱材の建ち調整に影響を与えない壁パネルの施工方法を提供する。【解決手段】  壁パネルの施工方法は、互いに間隔を空けて立設する一対の木質柱１、及び当該一対の木質柱１に架設する木質梁２に、壁パネル３を設置する施工方法であって、壁パネル３は、面材３１と、水平方向へ延び、面材３１の一方の板面３１ａに固定されるとともに一対の木質柱１に接合される長尺な接合材３２と、を備え、接合材３２を一対の木質柱１の間に配置し、接合材３２の長手方向の両端部を一対の木質柱１の互いに相対向するそれぞれの側面１１ａ、１２ａに接合して、木質梁２を一対の木質柱１に架設するとともに各木質柱１１、１２の建ちを調整した後、面材３１の縁端部を一対の木質柱１及び木質梁２の正面に固定する。【選択図】図１
2020122313.tif 000002
【特許請求の範囲】
【請求項１】
互いに間隔を空けて立設する一対の木質柱、及び当該一対の木質柱に架設する木質梁に、壁パネルを設置する壁パネルの設置施工方法であって、
前記壁パネルは、面材と、水平方向へ延び、当該面材の一方の板面に固定されるとともに前記一対の木質柱に接合される長尺な接合材と、を備え、
前記接合材を前記一対の木質柱の間に配置し、
当該接合材の長手方向の両端部を前記一対の木質柱の互いに相対向するそれぞれの側面に接合して、
前記木質梁を前記一対の木質柱に架設するとともに前記木質柱の建ちを調整した後、
前記面材の縁端部を前記一対の木質柱及び前記木質梁の正面に固定することを特徴とする壁パネルの設置施工方法。
【請求項２】
前記一対の木質柱は、互いに相対向するそれぞれの側面に接合金具を固定されており、
前記接合材は、長手方向の両端に形成された各々の切込み溝に、前記接合金具の差込部を差し込み、ドリフトピンで前記差込部とともに貫通されることにより前記一対の木質柱に接合されることを特徴とする請求項１に記載の壁パネルの設置施工方法。
【請求項３】
前記壁パネルは、上下方向に隣合う前記面材同士を接合材で連結固定して形成されることを特徴とする請求項１又は請求項２に記載の壁パネルの設置施工方法。
【請求項４】
前記壁パネルは、前記接合材を前記面材の上端部又は下端部に固定して形成され、  前記接合材は、長手方向の両端を、前記一対の木質柱の互いに相対向するそれぞれの側面から所定間隔離間させて前記接合金具で接合されることを特徴とする請求項２に記載の壁パネルの設置施工方法。
【請求項５】
前記切込み溝は、前記接合材の上端面から下端面まで貫通して形成されることを特徴とする請求項２から請求項４のいずれかに記載の壁パネルの設置施工方法。
【請求項６】
前記壁パネルは、前記面材の前記接合材を固定した側の板面に固定され、前記面材を補強する間柱及び下枠材を更に備えることを特徴とする請求項１から請求項５のいずれかに記載の壁パネルの設置施工方法。
【発明の詳細な説明】
【技術分野】
【０００１】
本発明は、木造軸組工法において、一対の木質柱及び木質梁からなる軸組材に壁パネルを設置するための壁パネルの設置施工方法に関する。
【背景技術】
【０００２】
従来より、木造軸組構造における耐力壁として、一対の木質柱に木質梁を架設してなる軸組材に筋かいを斜めに架け渡したものや、軸組材と、構造用合板などの耐力面材と、を一体化させたものが一般的に使用されている。通常、軸組材と耐力面材とを一体化させた耐力壁を形成する際は、木質柱に木質梁を架設して軸組材を形成し、木質柱の建ち調整を行った後に耐力面材の下地材となる間柱などの所謂羽柄材を軸組材に設置して、最後に耐力面材を羽柄材及び軸組材に固定する手順で形成される。また一方で、羽柄材と耐力面材とを予め一体化させた壁パネルを施工現場に搬入し、軸組材にそのまま固定する耐力壁構造が提案されている（例えば、特許文献１及び特許文献２）。
【先行技術文献】
【特許文献】
【０００３】
【特許文献１】特開２０１６−１２５２０１
【特許文献２】特開２０１０−１２１３３８
【発明の概要】
【発明が解決しようとする課題】
【０００４】
ところで、軸組材に羽柄材や耐力面材を個別に設置する場合、軸組材の形成に時間がかかるため、通常、羽柄材及び耐力面材の施工は軸組材の施工日から日を跨いで行われる。また、後施工でも施工可能な羽柄材及び耐力面材は後回しにされることが多く、軸組材の形成、木質柱の建ち調整作業を行った後に上階床の施工や上階の軸組材形成を優先することも多い。しかしながら、羽板材及び耐力面材の施工は軸組材の施工と同様屋外での施工となるため天候の影響を受けやすく、軸組材と切り離して施工を行うと全体工程に影響して工期が延びる虞がある。さらに、軸組材と、羽柄材及び耐力面材と、を一体化した軸組パネルの構法の場合、軸組材の木質梁の架構条件として制限が発生することが多くなり、奥行きの深い軒下空間を構成する為に設置される持ち出し梁架構を阻害する要因となる場合がある。このような課題に対し、軸組材と分離して羽柄材及び耐力面材のみで構成される壁パネルを用いることで、床版や屋根を構成する木質梁の構造面の制約を発生させない壁複合工法とすることができる。
【０００５】
また、特許文献１及び特許文献２に記載の壁パネルは、耐力面材と羽柄材とが予め一体化されているため容易に軸組材に固定して作業時間を短縮できるものの、壁パネル固定後に軸組材の木質柱の建ち調整を行おうとすると、軸組材が壁パネルに動きを阻害されて円滑に調整できないことが多く、木質柱の建ち調整に時間がかかるという問題点が挙げられる。
【０００６】
そこで、本発明は、上述した課題を鑑みてなされたものであって、一対の木質柱に木質梁を架設してなる軸組材に壁パネルを容易に設置でき、且つ、木質柱の建ち調整に影響を与えない壁パネルの設置施工方法を提供することを目的とする。
【課題を解決するための手段】
【０００７】
本発明の第１の壁パネルの設置施工方法は、互いに間隔を空けて立設する一対の木質柱、及び当該一対の木質柱に架設する木質梁に、壁パネルを設置する壁パネルの設置施工方法であって、前記壁パネルは、面材と、水平方向へ延び、当該面材の一方の板面に固定されるとともに前記一対の木質柱に接合される長尺な接合材と、を備え、前記接合材を前記一対の木質柱の間に配置し、当該接合材の長手方向の両端部を前記一対の木質柱の互いに相対向するそれぞれの側面に接合して、前記木質梁を前記一対の木質柱に架設するとともに前記木質柱の建ちを調整した後、前記面材の縁端部を前記一対の木質柱及び前記木質梁の正面に固定することを特徴としている。
【０００８】
本発明の第２の壁パネルの設置施工方法は、前記一対の木質柱が、互いに相対向するそれぞれの側面に接合金具を固定されており、前記接合材は、長手方向の両端に形成された各々の切込み溝に、前記接合金具の差込部を差し込み、ドリフトピンで前記差込部とともに貫通されることにより前記一対の木質柱に接合されることを特徴としている。
【０００９】
本発明の第３の壁パネルの設置施工方法は、前記壁パネルが、上下方向に隣合う前記面材同士を接合材で連結固定して形成されることを特徴としている。
【００１０】
本発明の第４の壁パネルの設置施工方法は、前記壁パネルが、前記接合材を前記面材の上端部又は下端部に固定して形成され、前記接合材が、長手方向の両端を、前記一対の木質柱の互いに相対向するそれぞれの側面から所定間隔離間させて前記接合金具で接合されることを特徴としている。
【００１１】
本発明の第５の壁パネルの設置施工方法は、前記切込み溝は、前記接合材の上端面から下端面まで貫通して形成されることを特徴としている。
【００１２】
本発明の第６の壁パネルの設置施工方法は、前記壁パネルが、前記面材の前記接合材を固定した側の板面に固定され、前記面材を補強する間柱及び下枠材を更に備えることを特徴としている。
【発明の効果】
【００１３】
本発明の第１の壁パネルの設置施工方法によると、壁パネルの接合材を一対の木質柱の間に配置して長手方向の両端部を前記一対の木質柱のそれぞれの側面に接合させた状態で木質梁を架設するとともに木質柱の建ちを調整し、その後に面材を木質柱及び木質梁の正面に固定するので、木質柱及び木質梁の動きを壁パネルに阻害されることなく木質柱の建ち調整を円滑に行うことができる。また、木質柱及び木質梁の軸組み、木質柱の建ち調整、及び壁パネルの施工を同じタイミングで行うことができるので、天候の影響を受けやすい屋外作業時間を短縮することができる。
【００１４】
本発明の第２の壁パネルの設置施工方法によると、一対の木質柱は、互いに相対向するそれぞれの側面に接合金具を固定されており、また、接合材は、長手方向の両端部に形成された切込み溝に接合金具の差込部を差し込まれるので、接合材の木質柱への設置位置を墨出しする必要がなく、また、重量物である壁パネルを容易に適正な位置に配置して一対の木質柱に接合することができ、施工性を向上させることができる。
【００１５】
本発明の第３の壁パネルの設置施工方法によると、壁パネルは、上下方向に隣合う面材同士を接合材で連結固定するので、上下方向に面材を継ぐことによって階高が高い建物にも対応できる壁パネルとすることができる。
【００１６】
本発明の第４の壁パネルの設置施工方法によると、壁パネルは、接合材を面材の上端部又は下端部に固定して形成されるので、一対の木質柱間において、壁パネルの上部又は下部に開口部を形成する場合、接合材を窓台又は窓まぐさとすることができる。また接合材は、長手方向の両端を一対の木質柱の互いに相対向する側面から所定間隔離間させた状態で一対の木質柱に接合されているので、一対の木質柱に水平力が作用し、面板を固定されない開口部に面する部分の木質柱が、面板を固定された部分の木質柱よりも水平方向に大きく変位した場合に、開口部に面する部分の木質柱が、接合材と交差する部分に大きなせん断の圧縮力を伝達されて脆性的な座屈を起こす可能性を低減することができる。
【００１７】
本発明の第５の壁パネルの設置施工方法によると、接合材の切込み溝は、接合材の上端面から下端面まで貫通しているので、接合材を接合金具の上方から落とし込むだけで容易に切込み溝に差込部を差し込むことができる。
【００１８】
本発明の第６の壁パネルの設置施工方法によると、壁パネルは、面材を補強する所謂羽柄材である間柱及び下枠材を備えているので、施工現場で面材と羽柄材とを個別に施工する必要がなく、施工性を向上させることができる。
【図面の簡単な説明】
【００１９】
【図１】耐力壁構造を示す正面図。
【図２】図１のＡ−Ａ断面図。
【図３】（ａ）一対の木質柱を示す正面図、（ｂ）図３のＢ部分拡大断面図。
【図４】木質梁、第１接合金具を示す斜視図。
【図５】壁パネルを示す斜視図。
【図６】壁パネルを水平方向へ連結した状態を示す斜視図。
【図７】（ａ）開口部を設けた耐力壁を示す正面図、（ｂ）（ａ）のＣ部分拡大正面図。
【図８】第２接合金具を示す斜視図。
【図９】壁パネルを第２接合金具に設置する状況を示す斜視図。
【図１０】木質梁を一対の木質柱に架設する状況を示す斜視図。
【図１１】面材を木質梁及び一対の木質柱に固定した状態を示す斜視図。
【発明を実施するための形態】
【００２０】
以下、本発明に係る壁パネルの設置施工方法の実施形態について各図を参照しつつ説明する。本願の壁パネルの設置施工方法は、木造軸組構造の建築物を建設する際に使用される施工方法であって、図１に示すように、一対の木質柱１に木質梁２を架設してなる軸組材に壁パネル３を設置する場合に用いられ、主に、建築物の１階外周部に位置する耐力壁を形成するために使用される。なお、本願の壁パネルの設置施工方法は、建物外周部の耐力壁を形成する場合だけでなく建物内部の耐力壁や通常の間仕切壁を形成する際にも使用することができ、さらに、１階に限らず２階以上の階に形成される耐力壁や間仕切壁にも使用することができる。本実施形態では建物１階の外周部の耐力壁４を形成する場合について説明する。また、本願において、「正面」とは、図１において、目視できる見えがかり面であり、「背面」とは、「正面」の反対側の面を指す。
【００２１】
図１及び図２に示すように、耐力壁４は、互いに間隔を開けて基礎５の上部に立設する一対の木質柱１及び木質梁２からなる軸組材に、複数の面材３１を接合材３２で連結固定してなる壁パネル３を固定することで形成される。
【００２２】
図３（ａ）に示すように、一対の木質柱１は、それぞれ下端に固定された柱脚金物６を介して基礎５の上端面に立設される長尺な垂直材である。一対の木質柱１のうち、一方の木質柱１１は、他方の木質柱１２よりも長尺に形成されており、他方の木質柱１２に面する第１側面１１ａから当該第１側面１１ａの反対側の側面へ向けて貫通する複数の第１貫通孔１１ｂを上端部に形成されるとともに、同じく第１側面１１ａから当該第１側面１１ａの反対側の側面へ向けて貫通する複数の第２貫通孔１１ｃを長手方向の略中央に形成されている。また、他方の木質柱１２には、一方の木質柱１１に対向する第２側面１２ａから当該第２側面１２ａと反対側の側面へ向けて貫通する複数の第３貫通孔１２ｂが第２貫通孔１１ｃと合致する高さ位置に形成されている。さらに、他方の木質柱１２には、上端面から下端面へ向けて延出するだぼ穴１２ｂが形成されており、このだぼ穴１２ｂに後述する木質梁２のだぼ２ｅを差込むことで他方の木質柱１２に木質梁２を係止させることができる。
【００２３】
柱脚金物６は、図３（ｂ）に示すように、基礎５の上端面から突出するアンカーボルト５１によって基礎５に固定される台座６１と、各木質柱１１、１２（図示例では他方の木質柱１２）の下端部を支持する支持部６２と、からなり、図３（ａ）に示す上方に突出した支持部６２の差込板６２ａを各木質柱１１、１２の下端に形成される切込み溝（図示せず）に挿入し、ドフトピン９１で各木質柱１１、１２及び差込板６２ａを貫通することによって各木質柱１１、１２と一体的に固定される。
【００２４】
図１に示す一対の木質柱１に架設する木質梁２は、水平方向へ延びる長尺な水平材で、上階を支持する床梁や屋根を支える小屋梁などで構成されている。図４に示すように、木質梁２は一方の木質柱１１に固定される第１接合金具７によって長手方向の一端部を一方の木質柱１１に接合することができ、この長手方向の一端部には、第１接合金具７に係合させるために一端から他端へ向けて形成された平面視略コ字形の第１切込み溝２ａと、第１正面２ｂから当該第１正面２ｂと反対側の第１背面２ｃ側へ貫通する第４貫通孔２ｄが形成されている。そして、木質梁２の他方の木質柱１２と接する下端面には、当該下端面から下方へ突出する棒状のだぼ２ｅが固定されており、他方の木質柱１２のだぼ穴１２ｂに差込むことで木質梁２を他方の木質柱１２に係止させることができる。なお本実施形態では、木質梁２に対して所謂一方の木質柱１１勝ちの架構としているが、特に限定されることはなく、両方の木質柱１１、１２に対して木質梁２勝ちの架構としてもよい。
【００２５】
壁パネル３は、図１に示すように、一対の木質柱１及び木質梁２に囲まれた範囲全体に亘って設置されるパネル材で、図５に表れているように、２枚の面材３１と、面材３１を上下方向に連結し、水平方向へ延びる長尺な接合材３２と、それぞれの面材３１の一方の板面３１ａに固定され、面材３１の下地材となる間柱３３及び下枠材３４と、を備えており、これらの各部材を予め工場で組み立てた状態で施工現場に搬入される。面材３１は、せん断性能に優れた構造用合板やパーティクルボードなどの板材が使用され、幅９００〜１０００ｍｍ程度、高さ３０３０ｍｍ程度以下で形成される。面材３１は接合材３２で上下方向に継ぐことによって、図１に示す様々な高さの階高Ｈに対応したパネルとすることが可能であるため、壁パネル３は、一般的な規格寸法の構造用合板やパーティクルボードを使用して形成することができ、利便性と経済的に優れたパネル材とすることができる。また、図１に示すように、接合材３２で連結固定された２枚の面材３１は、一対の木質柱１のそれぞれの正面１１ｄ、１２ｃ及び木質梁２の正面２ｄの一部を被覆してビスや釘などの係止具９２で固定される。
【００２６】
接合材３２は、図５及び図９に示すように、上部側の面材３１の下端部及び下部側の面材３１の上端部を跨いで一方の板面３１ａに配置され、他方の板面３１ｂ側から係止具９２でそれぞれ面材３１に固定される。また、上下方向に隣合う面材３１は、１０ｍｍ程度空けて接合材３２に連結される。接合材３２は、図１に示す一対の木質柱１に固定される第２接合金具８によって長手方向の両端部を一対の木質柱１に接合することができ、図５に示すように、長手方向の両端には、両端から互いに近接する方向へ延び、上端面３２ａから下端面３２ｂまで貫通する平面視略コ字形の第２切込み溝３２ｃが形成されるとともに、面材３１に接する面から反対側の第２背面３２ｄの方向へ貫通する第５貫通孔３２ｅが形成されている。また、接合材３２の間柱３３に接する上下端面には、第１嵌合溝３２ｆが形成されており、この溝に間柱３３の上下端部を嵌め込むことができる。そして、図５に示す接合材３２の長さＬ１は、図３に示す一方の木質柱１１の第１側面１１ａ〜他方の木質柱１２の第２側面１２ａまでの第１距離Ｌ２よりも短く形成されており、例えば、第１距離Ｌ２よりも１０ｍｍ程度短く形成されることが望ましい。このような長さとすることにより、接合材３２を一対の木質柱１に容易に設置することができる。
【００２７】
間柱３３は、図５及び図９に示すように、それぞれの面材３１の幅方向の略中央に配置される垂直部材で、一方の板面３１ａに係止具９２などで固定されて面材３１を補強する部材である。間柱３３は、接合材３２に接する上下端部を接合部３２の第１嵌合溝３２ｆに嵌め込まれ、上部側の間柱３３の側面と接合材３２との入り隅部分にＬアングル３３ａをビス固定されて接合材３２と一体的に連結されている。また、下枠材３４は、下部側の面材３１の下端部に固定される水平部材で、面材３１の一方の板面３１ａに係止具９２で固定されており、また、上端面に形成された第２嵌合溝３４ａに下側の間柱３３の下端部を嵌め込まれている。なお、一対の木質柱１間のスパンが１０００ｍｍを越える場合は、図６に示すように、垂直部材である半柱３５によって壁パネル３同士を水平方向に連結することができる。そして、壁パネル３は、柱間のスパンが２０００ｍｍ以下の耐力壁４に対応可能な幅とすることが望ましく、このような幅であれば、工場でプレセットされた壁パネル３を平積みして小型トラック（４ｔ程度）で輸送することができる。
【００２８】
なお、本実施形態では面材３１を接合材３２で上下方向に連結固定して壁パネル３で一対の木質柱１及び木質梁２に囲まれた範囲全体を覆っているが、図７（ａ）に示すように、接合材３２を面材３１の上端部又は下端部に固定し、一対の木質柱１間において、複数の壁パネル３を上下方向に離間させて間に開口部Ｏを設けてもよい。この場合は、接合材３２を開口部Ｏの窓台又は窓まぐさとすることができる。
【００２９】
第１接合金具７は、図４に示すように、木質梁２の長手方向の一端部を一方の木質柱１１に固定するための略コ字形状の金具で、一方の木質柱１１の第１側面１１ａにボルト９３で固定される第１当接部７ａと、第１当接部７ａの幅方向の両端から他方の木質柱１２側へ突出し、木質梁２の第１切込み溝２ａに差込まれる一対の第１差込部７ｂと、からなる。第１当接部７ａ及び第１差込部７ｂは木質梁２と略同一の高さを有しており、第１当接部７ａには、図３（ａ）に示す一方の木質柱１１の第１貫通孔１１ｂと合致する位置に板厚方向へ貫通する第６貫通孔７ｃが形成され、また、それぞれの第１差込部７ｂの先端部には、木質梁２に差込まれた際に、木質梁２の第４貫通孔２ｄと合致する位置に、板厚方向へ貫通する第７貫通孔７ｄが形成されている。
【００３０】
図８に示す第２接合金具８は、壁パネル３の接合材３２を一対の木質柱１に接合するための金具で、先述した第１接合金具７と同様に略コ字形状に形成されている。第２接合金具８は、一対の木質柱１の互いに対向する側面（図示例では第１側面１１ａ）にボルト９３で固定される第２当接部８ａと、第２当接部８ａの幅方向の両端から対向する木質柱側へ突出し、接合材３２の第２切込み溝３２ｃに差込まれる一対の第２差込部８ｂと、からなる。第２当接部８ａ及び第２差込部８ｂは、接合材３２と略同一の高さを有しており、第２当接部８ａには、図３に示す各木質柱１１、１２に形成された第２貫通孔１１ｃ及び第３貫通孔１２ｂと合致する位置に、板厚方向へ貫通する第８貫通孔８ｃが形成され、また、それぞれの第２差込部８ｂの先端部には、接合材３２に差込まれた際に、接合材３２の第５貫通孔３２ｅと合致する位置に、板厚方向へ貫通する第９貫通孔８ｄが形成されている。
【００３１】
次に、耐力壁４の設置施工方法について説明する。まず、図９に示すように、施工現場で打設されたコンクリート製の基礎５に立設する一対の木質柱１に、第１接合金具７及び第２接合金具８を設置する。第１接合金具７は、図４に示すように、第１接合金具７の第１当接部７ａを一方の木質柱１１の第１側面１１ａに当接させ、図３（ａ）に示す第１貫通孔１１ｂと、第６貫通孔７ｃとを合致させた状態でボルト９３で一方の木質柱１１及び第１当接部７ａを貫通し、ナット９４で締付けて第１接合金具７を一方の木質柱１１に設置する。また第２接合金具８は、図２及び図８に示すように、一対の木質柱１の互いに対向する各側面１１ａ、１２ａに第２当接部８ａを当接し、各木質柱１１、１２に形成されたそれぞれの貫通孔１１ｃ、１２ｂと、第８貫通孔８ｃと、を合致させた状態でボルト９３で各木質柱１１、１２及び第２当接部８ａをそれぞれ貫通し、ナット９４で締付けて第２接合金具８を一対の木質柱１に設置する。
【００３２】
続いて、図９に示すように、壁パネル３の接合材３２を第２接合金具８の上方から落とし込んで第２切込み溝３２ｃに第２接合金具８の第２差込部８ｂを差込み、図８に示す接合材３２の第２背面３２ｄ側から第５貫通孔３２ｅ及び第２差込部８ｂの第９貫通孔８ｄをドリフトピン９１で貫通し、図９に示すように接合材３２を一対の木質柱１に係止させる。先述したように、接合材３２は、長さが一対の木質柱１間の第１距離Ｌ２よりも短く形成されているため、接合材３２を一対の木質柱１間に容易に設置することができる。さらに、壁パネル３の設置前に第２接合金具８を各木質柱１１、１２に設置するので、接合材３２の位置決めを容易に行うことができ、また、接合材３２の第２切込み溝３２ｃを上端面から下端面へ貫通させているので、接合材３２を第２接合金具８の上方から落とし込むだけで容易に第２接合金具８に嵌め込むことができる。なおこの段階において、壁パネル３は、接合材３２が各木質柱１１、１２に係止しているだけの状態であり、面材３１は各木質柱１１、１２に固定されていない。
【００３３】
次に、図４に示すように、木質梁２の第１切込み溝２ａに一対の木質柱１１に設置された第１接合金具７の第１当接部７ａを差込み、木質梁２の第１背面２ｃ側から第４貫通孔２ｄ及び第１差込部７ｂの第７貫通孔７ｄをドリフトピン９１で貫通して木質梁２の長手方向の一端部を一方の木質柱１１に係止させ、木質梁２の下端部から突出するだぼ２ｅを他方の木質柱１２のだぼ穴１２ｂに差込んで木質梁２を一対の木質柱１に架設する。なお、本実施形態では第１接合金具７やだぼ２ｅを用いて木質梁２を各木質柱１１、１２に設置しているが、木質梁２を架設できるものであればその他の金具を用いてもよい。
【００３４】
基礎５に立設する一対の木質柱１は、施工現場で形成される基礎５の上端面の施工精度の影響を受けるため、木質梁２を架設された段階で建ち調整が必要となる。このとき先述したように、壁パネル３は接合材３２が第２接合金具８によって一対の木質柱１に係止しているものの、面材３１は各木質柱１１、１２に固定されておらず、また、木質梁２にも連結されていないため、各木質柱１１、１２及び木質梁２が壁パネル３に動きを阻害されることはなく、各木質柱１１、１２の建ち調整を円滑に行うことができる。また、木質梁２の架構が壁パネル３によって制限されないため、木質梁２に例えば別の木質梁や横架材を架渡すなど設計上の自由度を保持することができる。そして各木質柱１１、１２の建ち調整完了後、図１１に示すように、最後に壁パネル３の面材３１を一対の木質柱１のそれぞれの正面１１ｄ、１２ｃ及び木質梁２の正面２ｂに係止具９２で固定して耐力壁４を完成させる。
【００３５】
なお図７（ａ）、（ｂ）に示すように、壁パネル３の上部又は下部に開口部Ｏを設けた場合は、接合材３２の長手方向の両端を第１側面１１ａ及び第２側面１２ａからそれぞれ所定間隔離間して隙間Ｓを形成することが望ましい。通常、一対の木質柱１間において開口部Ｏを設けた場合、開口部Ｏに面し、面材３１を固定されない部分の各木質柱１１、１２は、面材３１を固定される部分の各木質柱１１、１２と比較して剛性が低く、水平力を受けた場合の水平方向への変位量が大きい。そのため一対の木質柱１に水平力が作用した場合、開口部Ｏに面する各木質柱１１、１２は、接合材３２と交差する部分にせん断の圧縮力が伝達されて座屈し易くなるが、このような隙間Ｓを形成することにより、開口部Ｏに面する各木質柱１１、１２が接合材３２の縁端に強く押圧されて脆性的な座屈を起こすことをある程度抑制することができる。また、図７（ｂ）に示す接合材３２の縁端と各木質柱１１、１２の各側面（図示例では第２側面１２ａ）との離隔距離Ｌ３は、５ｍｍ程度とすることが好ましく、このような距離であれば、開口部Ｏに面する各木質柱１１、１２が脆性的な座屈を起こす可能性を低減することができる。
【００３６】
このように、本願の壁パネルの設置施工方法は、壁パネル３が軸組材の動きを阻害することがないので、一対の木質柱１及び木質梁２の軸組み、各木質柱１１、１２の建ち調整、及び壁パネル３の施工を同じタイミングで行うことができ、天候の影響を受けやすい屋外作業時間の短縮を図ることができる。そして、接合材３２は一対の木質柱１と第２接合金具８によって接合されるので、壁パネル３を釘やビスのみで各木質柱１１、１２に固定する場合と比較して、壁パネル３の位置決めがし易く、取付精度を向上させることができる。また、本願の壁パネルの設置施工方法は、建物外周部の耐力壁を形成する場合以外にも建築物内部の耐力壁や間仕切壁を形成する際にも適用可能であるため、利便性に優れた施工方法とすることができる。
【００３７】
本発明の実施の形態は上述の形態に限ることなく、本発明の思想の範囲を逸脱しない範囲で適宜変更することができる。
【産業上の利用可能性】
【００３８】
本発明に係る壁パネルの設置施工方法は、建物外周部の耐力壁を形成する際に好適に使用することができる。
【符号の説明】
【００３９】
１        一対の木質柱
１１      一方の木質柱
１１ａ    一方の木質柱の第１側面
１２      他方の木質柱
１２ａ    他方の木質柱の第２側面
２        木質梁
３        壁パネル
３１      面材
３２      接合材
３２ａ    （接合材の）上端面
３２ｂ    （接合材の）下端面
３２ｃ    第２切込み溝（切込み溝）
３３      間柱
３４      下枠材
８        第２接合金具（接合金具）
【図１】
2020122313.tif 000003
【図２】
2020122313.tif 000004
【図３】
2020122313.tif 000005
【図４】
2020122313.tif 000006
【図５】
2020122313.tif 000007
【図６】
2020122313.tif 000008
【図７】
2020122313.tif 000009
【図８】
2020122313.tif 000010
【図９】
2020122313.tif 000011
【図１０】
2020122313.tif 000012
【図１１】
2020122313.tif 000013